(57)【要約】【課題】測定室外の大気を測定室内に取り込むことなく、コレクター部の周囲に伴流を形成させることができる回流型風洞装置を提供すること。【解決手段】送風機により発生させた気流を、測定室８に開口する吹出し口７から測定室８内に向かって吹き出させた後、コレクターダクト９を介して第１拡散胴４に流入させる回流型風洞装置１０であって、前記第１拡散胴４内または前記第１拡散胴４よりも下流側に位置する前記気流の流路内と、前記測定室８とを連通するダクト２０が設けられている。【選択図】  図２
2008076304.tif 000002
【特許請求の範囲】
【請求項１】
送風機により発生させた気流を、測定室に開口する吹出し口から測定室内に向かって吹き出させた後、コレクターダクトを介して第１拡散胴に流入させる回流型風洞装置であって、
前記第１拡散胴内または前記第１拡散胴よりも下流側に位置する前記気流の流路内と、前記測定室とを連通するダクトが設けられていることを特徴とする回流型風洞装置。
【請求項２】
前記ダクトの一端が、前記測定室の下流側に位置する側面で、かつ、前記コレクターダクトの周囲を取り囲むように設けられた開口部に接続されていることを特徴とする請求項１に記載の回流型風洞装置。
【請求項３】
前記ダクトの一端が、前記測定室の下流側に位置する側面で、かつ、前記コレクターダクトよりも上側に設けられた開口部に接続されており、
前記測定室内に、前記開口部の下端よりも下側に位置する下方空間と、前記開口部の下端よりも上側に位置する上方空間とを区画する多孔板が設けられていることを特徴とする請求項１に記載の回流型風洞装置。
【請求項４】
前記ダクトが、前記測定室内に設けられていることを特徴とする請求項１から３のいずれか一項に記載の回流型風洞装置。
【請求項５】
前記コレクターダクトのダクト部に、少なくとも１つのスリットが設けられていることを特徴とする請求項１から４のいずれか一項に記載の回流型風洞装置。
【請求項６】
送風機により発生させた気流を、測定室に開口する吹出し口から測定室内に向かって吹き出させた後、コレクターダクトを介して第１拡散胴に流入させる回流型風洞装置であって、
前記コレクターダクトのダクト部に、少なくとも１つのスリットが設けられていることを特徴とする回流型風洞装置。
【発明の詳細な説明】
【技術分野】
【０００１】
本発明は、回流型風洞装置に関するものである。
【背景技術】
【０００２】
回流型風洞装置としては、例えば、特許文献１に開示されたものが知られている。
【特許文献１】特開平１１−６４１５６号公報（図２）
【発明の開示】
【発明が解決しようとする課題】
【０００３】
さて、従来の回流型風洞装置では、吹出し口から流入する気流がコレクターダクトのコレクター部に衝突して発生する騒音を低減させるために、測定室内を負圧（大気圧よりも低い圧力）にし、測定室外の大気を測定室内に取り込んで、コレクターダクトのコレクター部の周囲に伴流が形成されるようにしているものがある。
しかしながら、このような回流型風洞装置では、測定室内を負圧としなければならず、供試体を支持するとともに供試体に加わる荷重を計測する天秤に余分な荷重が加わり、天秤の計測精度が低下してしまうといった問題点があった。
また、測定室外の大気が測定室内に流入することとなるので、測定室内の温度を一定に保つことができないといった問題点もあった。
【０００４】
本発明は、上記の事情に鑑みてなされたもので、測定室外の大気を測定室内に取り込むことなく、コレクター部の周囲に伴流を形成させることができる回流型風洞装置を提供することを目的とする。
【課題を解決するための手段】
【０００５】
本発明は、上記課題を解決するため、以下の手段を採用した。
本発明による回流型風洞装置は、送風機により発生させた気流を、測定室に開口する吹出し口から測定室内に向かって吹き出させた後、コレクターダクトを介して第１拡散胴に流入させる回流型風洞装置であって、前記第１拡散胴内または前記第１拡散胴よりも下流側に位置する前記気流の流路内と、前記測定室とを連通するダクトが設けられている。
このような回流型風洞装置によれば、装置内を回流（循環）する気流の一部が、ダクトを介して測定室内に戻され、吹出し口から流入する気流（主流）とともに、コレクターダクトのコレクター部の周囲から第１拡散胴内に流入して伴流を形成することとなる。
すなわち、従来のように、コレクター部の周囲に伴流を形成するため、測定室内を負圧（大気圧よりも低い圧力）にし、測定室外の大気を測定室内に取り込む必要がなくなる。
【０００６】
これにより、測定室内の圧力が（略）大気圧状態に保たれることとなるので、供試体を支持するとともに供試体に加わる荷重を計測する天秤に加わる余分な荷重（測定室内を負圧とすることで天秤に作用する力）を低減する（あるいはなくす）ことができて、天秤の計測精度を向上させることができる。
また、測定室外の大気を測定室内に取り込む必要がないので、測定室内の温度を（略）一定に保つことができ、計測精度をさらに向上させることができる。
さらに、コレクター部の周囲に伴流が形成され、コレクター部の内周縁近傍における流速が滑らか（マイルド）になる（コレクター部の表面に空気の層が形成されることとなる）ので、吹出し口から流入する気流がコレクター部に衝突して発生する騒音を低減させることができる。
【０００７】
上記回流型風洞装置において、前記ダクトの一端が、前記測定室の下流側に位置する側面で、かつ、前記コレクターダクトの周囲を取り囲むように設けられた開口部に接続されているとさらに好適である。
このような回流型風洞装置によれば、開口部が平面視コ字形、すなわち、コレクター部に沿って満遍なく形成されているので、コレクター部の周囲全体にわたって伴流を形成することができ、吹出し口から流入する気流がコレクター部に衝突して発生する騒音をさらに低減させることができる。
【０００８】
上記回流型風洞装置において、前記ダクトの一端が、前記測定室の下流側に位置する側面で、かつ、前記コレクターダクトよりも上側に設けられた開口部に接続されており、前記測定室内に、前記開口部の下端よりも下側に位置する下方空間と、前記開口部の下端よりも上側に位置する上方空間とを区画する多孔板が設けられているとさらに好適である。
このような回流型風洞装置によれば、ダクトを通過した気流が、測定室内の天井部に設けられた多孔板の孔を通って、測定室内に満遍なく（均等にあるいは均一に）流入することとなるので、自然の状態に近い、ロス（損失）の少ない流れ（伴流）を実現することができる。
【０００９】
上記回流型風洞装置において、前記ダクトが、前記測定室内に設けられているとさらに好適である。
このような回流型風洞装置によれば、ダクトを測定室の外側に別途設置する必要がないので、製造工程の短縮化を図ることができ、製造費の低減化を図ることができる。
【００１０】
上記回流型風洞装置において、前記コレクターダクトのダクト部に、少なくとも１つのスリットが設けられているとさらに好適である。
このような回流型風洞装置によれば、ダクト部を通過する気流の一部がスリットを通ってコレクター部の周囲に導かれて、伴流を形成する空気の量が増加することとなるので、コレクター部の内周縁近傍における流速をさらに滑らか（マイルド）にすることができて、吹出し口から流入する気流がコレクター部に衝突して発生する騒音をさらに低減させることができる。
【００１１】
本発明による回流型風洞装置は、送風機により発生させた気流を、測定室に開口する吹出し口から測定室内に向かって吹き出させた後、コレクターダクトを介して第１拡散胴に流入させる回流型風洞装置であって、前記コレクターダクトのダクト部に、少なくとも１つのスリットが設けられている。
このような回流型風洞装置によれば、装置内を回流（循環）する気流の一部が、スリットを介して測定室内に戻され、吹出し口から流入する気流（主流）とともに、コレクターダクトのコレクター部の周囲から第１拡散胴内に流入して伴流を形成することとなる。
すなわち、従来のように、コレクター部の周囲に伴流を形成するため、測定室内を負圧（大気圧よりも低い圧力）にし、測定室外の大気を測定室内に取り込む必要がなくなる。
【００１２】
これにより、測定室内の圧力が（略）大気圧状態に保たれることとなるので、供試体を支持するとともに供試体に加わる荷重を計測する天秤に加わる余分な荷重（測定室内を負圧とすることで天秤に作用する力）を低減する（あるいはなくす）ことができて、天秤の計測精度を向上させることができる。
また、測定室外の大気を測定室内に取り込む必要がないので、測定室内の温度を（略）一定に保つことができ、計測精度をさらに向上させることができる。
さらに、コレクター部の周囲に伴流が形成され、コレクター部の内周縁近傍における流速が滑らか（マイルド）になる（コレクター部の表面に空気の層が形成されることとなる）ので、吹出し口から流入する気流がコレクター部に衝突して発生する騒音を低減させることができる。
【発明の効果】
【００１３】
本発明によれば、測定室外の大気を測定室内に取り込むことなく、コレクター部の周囲に伴流を形成させることができるという効果を奏する。
【発明を実施するための最良の形態】
【００１４】
以下、本発明に係る回流型風洞装置の第１実施形態を、図１ないし図３を参照しながら説明する。
図１は本実施形態に係る回流型風洞装置全体の模式図、図２は図１に示す回流型風洞装置の要部を拡大した模式図、図３（ａ）は図２のａ−ａ矢視断面図、図３（ｂ）は図２のｂ−ｂ矢視断面図である。
【００１５】
本実施形態に係る回流型風洞装置１０は、（開放型）測定室８と、第１〜第４の４つの屈曲胴（屈曲部）１１〜１４とを備えて平面視略長方形に形成されている。そして、送風機１で発生した気流は、第２拡散胴２、第３屈曲胴１３、第４屈曲胴１４、整流胴５、縮流胴６を経て、測定室８に開口する吹出し口７から測定室８に流入し、コレクターダクト９から第１拡散胴４に流入した後、第１拡散胴４、第１屈曲胴１１、第２屈曲胴１２の順に流れるようになっている。
【００１６】
第１拡散胴４に連結されたコレクターダクト９は、コレクター部９ａと、コレクター部９ａに連設されたダクト部９ｂとを備えている。コレクター部９ａは、吹出し口７からの噴流を受けとめて集め、送風機１へ導くためのものであり、コレクターダクト９および第１拡散胴４は、通常鉄板等の剛性壁で構成されている。
【００１７】
さて、本実施形態に係る回流型風洞装置１０は、上記構成要素の他に、第１拡散胴４内を通過する気流の一部（例えば、３０％〜４０％）を、測定室８内に戻すダクト２０が設けられている。ダクト２０は、図２に示すように平面視略二等辺三角形、図３（ｂ）に示すように断面視（正面視）長方形に形成された気流の流路であり、その長さ方向の略中央には、流量調整用のダンパ２１が設けられている。ダクト２０の一端（上流端）は、第１拡散胴４の下流側端部（すなわち、第１屈曲胴１１との接続部（連結部）近傍）に位置する天井面（上面）４ａに設けられた平面視長方形の第１の開口部２２に接続（連結）されており、ダクト２０の他端（下流端）は、測定室８の下流側に位置する側面（後面）８ａの上部に設けられた平面視長方形の第２の開口部２３に接続（連結）されている。
【００１８】
そして、コレクターダクト９から第１拡散胴４内に流入し、この第１拡散胴４内を通過する間にその静圧が測定室８よりも高められた気流の一部は、ダクト２０を通って測定室８内に自然に戻っていく（流入していく）こととなる。測定室８内に戻っていった気流は、吹出し口７から流入する気流（主流）とともに（に引きずられて）、コレクター部９ａの周囲から第１拡散胴４内に流入していくこととなる。すなわち、コレクター部９ａの周囲から伴流が取り込まれることとなる。
なお、図２中の符号２４は供試体であり、符号２５は測定室８内の圧力を一定（本実施形態では大気圧）に保つために測定室８の上流側に位置する側面（前面）８ｂに設けられた均圧孔である。
【００１９】
本実施形態に係る回流型風洞装置１０によれば、装置内を回流（循環）する気流の一部が、ダクト２０を介して測定室８内に戻され、吹出し口７から流入する気流（主流）とともに、コレクター部９ａの周囲から第１拡散胴４内に流入して伴流を形成することとなる。
すなわち、従来のように、コレクター部９ａの周囲に伴流を形成するため、測定室８内を負圧（大気圧よりも低い圧力）にし、測定室８外の大気を測定室８内に取り込む必要がなくなる。
【００２０】
これにより、測定室８内の圧力が（略）大気圧状態に保たれることとなるので、供試体２４を支持するとともに供試体２４に加わる荷重を計測する天秤（図示せず）に加わる余分な荷重（測定室８内を負圧とすることで天秤に作用する力）を低減する（あるいはなくす）ことができて、天秤の計測精度を向上させることができる。
また、測定室８外の大気を測定室８内に取り込む必要がないので、測定室８内の温度を（略）一定に保つことができ、計測精度をさらに向上させることができる。
さらに、コレクター部９ａの周囲に伴流が形成され、コレクター部９ａの内周縁近傍における流速が滑らか（マイルド）になる（コレクター部９ａの表面に空気の層が形成されることとなる）ので、吹出し口７から流入する気流がコレクター部９ａに衝突して発生する騒音を低減させることができる。
【００２１】
本発明に係る回流型風洞装置の第２実施形態を、図４ないし図６を用いて説明する。
図４は本実施形態に係る回流型風洞装置の要部を拡大した模式図、図５（ａ）は図４のｃ−ｃ矢視断面図、図５（ｂ）は図４のｄ−ｄ矢視断面図、図５（ｃ）は図４のｅ−ｅ矢視断面図、図６は本実施形態に係る回流型風洞装置の要部斜視断面図である。
【００２２】
本実施形態に係る回流型風洞装置３０は、ダクト２０の代わりにダクト３１が設けられているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００２３】
ダクト３１は、図４に示すように平面視略二等辺三角形、図５（ｃ）に示すように断面視（正面視）長方形に形成された第１のダクト３２と、図４に示すように平面視長方形、図５（ｂ）に示すように断面視（正面視）略コ字形に形成された第２のダクト３３とを備えた気流の流路であり、その長さ方向の略中央には、流量調整用のダンパ２１が設けられている。ダクト３１の一端（上流端）は、第１拡散胴４の下流側端部（すなわち、第１屈曲胴１１との接続部（連結部）近傍）に位置する天井面（上面）４ａに設けられた平面視長方形の第１の開口部２２に接続（連結）されており、ダクト３１の他端（下流端）は、測定室８の下流側に位置する側面（後面）８ａの上部および両側部に設けられた平面視コ字形の第２の開口部３４に接続（連結）されている。
【００２４】
本実施形態に係る回流型風洞装置３０によれば、第２の開口部３４が平面視コ字形、すなわち、コレクター部９ａに沿って満遍なく形成されているので、コレクター部９ａの周囲全体にわたって伴流を形成することができ、吹出し口７から流入する気流がコレクター部９ａに衝突して発生する騒音をさらに低減させることができる。
その他の作用効果は、前述した第１実施形態のものと同じであるので、ここではその説明を省略する。
【００２５】
本発明に係る回流型風洞装置の第３実施形態を、図７を用いて説明する。
図７は本実施形態に係る回流型風洞装置の要部を拡大した模式図で、図３（ａ）および図５（ａ）と同様の図である。
【００２６】
本実施形態に係る回流型風洞装置４０は、測定室８内の天井部（上部）に、多数の孔４１を有する（または多数のスリットを有する）多孔板４２が設けられているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００２７】
多孔板４２は、測定室８内の天井面の下方を覆うように、すなわち、測定室８内において第２の開口部２３の下端よりも下側（下方）に位置する下方空間Ｓ１と、第２の開口部２３の下端よりも上側（上方）に位置する上方空間Ｓ２とを区画する（仕切る）隔壁である。
そして、第２の開口部２３から上方空間Ｓ２内に流入した気流は、多孔板４２に形成された多数の孔（または多数のスリット）４１を通って下方空間Ｓ１内に流入していくこととなる。
【００２８】
本実施形態に係る回流型風洞装置４０によれば、ダクト２０を通過した気流が、測定室８内の天井部に設けられた多孔板４２の孔４１を通って、測定室８内に満遍なく（均等にあるいは均一に）流入することとなるので、自然の状態に近い、ロス（損失）の少ない流れ（伴流）を実現することができる。
これにより、コレクター部９ａの内周縁近傍における流速をさらに滑らか（マイルド）にすることができて、吹出し口７から流入する気流がコレクター部９ａに衝突して発生する騒音をさらに低減させることができる。
その他の作用効果は、前述した第１実施形態のものと同じであるので、ここではその説明を省略する。
【００２９】
本発明に係る回流型風洞装置の第４実施形態を、図８を用いて説明する。
図８は本実施形態に係る回流型風洞装置の要部を拡大した模式図で、図３（ａ）、図５（ａ）、および図７と同様の図である。
【００３０】
本実施形態に係る回流型風洞装置５０は、コレクターダクト９のダクト部９ｂに、スリット（または孔）５１が設けられているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００３１】
スリット５１は、ダクト部９ｂの天井面（上面）および／またはダクト部９ｂの両側面を板厚方向に貫通する貫通孔であり、ダクト部９ｂ内と測定室８内とが連通状態となるように、すなわち、ダクト部９ｂに沿って流れる気流の一部が、第２の開口部２３から流入する気流とともに（に引きずられて）、測定室８内に流入し、コレクター部９ａの周囲から伴流として取り込まれることとなる。
【００３２】
本実施形態に係る回流型風洞装置５０によれば、ダクト部９ｂを通過する気流の一部がスリット５１を通ってコレクター部９ａの周囲に導かれて、伴流を形成する空気の量が増加することとなるので、コレクター部９ａの内周縁近傍における流速をさらに滑らか（マイルド）にすることができて、吹出し口７から流入する気流がコレクター部９ａに衝突して発生する騒音をさらに低減させることができる。
その他の作用効果は、前述した第１実施形態のものと同じであるので、ここではその説明を省略する。
【００３３】
本発明に係る回流型風洞装置の第５実施形態を、図９を用いて説明する。
図９は本実施形態に係る回流型風洞装置の要部を拡大した模式図で、図３（ａ）、図５（ａ）、図７、および図８と同様の図である。
【００３４】
本実施形態に係る回流型風洞装置６０は、測定室８の代わりに測定室６１が設けられているという点で前述した第１実施形態のものと異なる。その他の構成要素については前述した第１実施形態のものと同じであるので、ここではそれら構成要素についての説明は省略する。
なお、前述した第１実施形態と同一の部材には同一の符号を付している。
【００３５】
測定室６１は、その下流側に位置する側面（後面）６１ａが、前述した測定室８の下流側に位置する側面（後面）８ａよりも下流側（本実施形態では第１拡散胴４の下流側端部（すなわち、第１屈曲胴１１との接続部（連結部）近傍）に位置するよう、下流側に延長して設けられた箱体である。また、測定室８の天井面と第１拡散胴４の天井面４ａとの間には、第１拡散胴４内を通過する気流の一部（例えば、３０％〜４０％）を、コレクターダクト９の上流側（すなわち、供試体２４が置かれた空間Ｓ３内）に戻す（導く）ダクト６２が形成されている。このダクト６２は、平面視長方形、断面視（正面視）長方形に形成された気流の流路であり、その長さ方向の略中央には、流量調整用のダンパ２１が設けられている。さらに、ダクト６２の一端（上流端）は、第１拡散胴４の下流側端部（すなわち、第１屈曲胴１１との接続部（連結部）近傍）に位置する天井面（上面）４ａに設けられた平面視長方形の第１の開口部２２と連通し、ダクト６２の他端（下流端）は、ダクト部９ｂの上方に形成された平面視長方形の第２の開口部２３と連通している。
【００３６】
そして、コレクターダクト９から第１拡散胴４内に流入し、この第１拡散胴４内を通過する間にその静圧が測定室８よりも高められた気流の一部は、ダクト６２を通って測定室８内の供試体２４が置かれた空間Ｓ３内に自然に戻っていく（流入していく）こととなる。供試体２４が置かれた空間Ｓ３内に戻っていった気流は、吹出し口７から流入する気流（主流）とともに（に引きずられて）、コレクター部９ａの周囲から第１拡散胴４内に流入していくこととなる。すなわち、コレクター部９ａの周囲から伴流が取り込まれることとなる。
【００３７】
本実施形態に係る回流型風洞装置６０によれば、測定室８内にダクト６２が形成されることとなり、前述した実施形態のもののようにダクト２０，３１を測定室８の外側に別途設置する必要がないので、製造工程の短縮化を図ることができ、製造費の低減化を図ることができる。
その他の作用効果は、前述した第１実施形態のものと同じであるので、ここではその説明を省略する。
【００３８】
なお、上述した実施形態では、ダクトの一端に接続される（ダクトの一端と連通する）第１の開口部２２を、第１拡散胴４の下流側端部（すなわち、第１屈曲胴１１との接続部（連結部）近傍）に位置する天井面（上面）４ａに設けるようにしているが、本発明はこれに限定されるものではなく、図１０中の破線で囲んだ位置、すなわち、第１屈曲胴１１と第２屈曲胴１２との接続部（連結部）近傍に位置する天井面（上面）７１に設けるようにしてもよいし、送風機１の下流側近傍に位置する第２拡散胴２の天井面（上面）７２に設けるようにしてもよい。ここで、第１拡散胴４と第１屈曲胴１１との接続部近傍を通過する気流の静圧は、第１屈曲胴１１と第２屈曲胴１２との接続部近傍を通過する気流の静圧よりも低くなり、第１屈曲胴１１と第２屈曲胴１２との接続部近傍を通過する気流の静圧は、送風機１の下流側近傍を通過する気流の静圧よりも低くなる。
したがって、第１の開口部２２を天井面７１または天井面７２に配置することにより、より多くの気流を測定室８内（または供試体２４が置かれた空間Ｓ３内）に戻すことができて、コレクター部９ａの周囲から第１拡散胴４内により多くの伴流を流入させることができる。
【００３９】
また、上述した実施形態では、第１の開口部２２を天井面４ａ，７１，７２に設けるようにしているが、本発明はこれに限定されるものではなく、第１拡散胴４の下流側端部に位置する側面または底面に設けるようにしてもよいし、第１屈曲胴１１と第２屈曲胴１２との接続部近傍に位置する側面または底面に設けるようにしてもよく、送風機１の下流側近傍に位置する第２拡散胴２の側面または底面に設けるようにしてもよい。
【００４０】
さらに、ダクト２０，３１，６２内にサイレンサ（消音器）が設けられているとさらに好適である。
これにより、ダクト２０，３１，６２内を通過する気流の騒音を低減させることができて、風洞装置全体の騒音を低減させることができる。
【００４１】
さらにまた、ダクト２０，３１，６２内にブーストファン（押し込み用の送風機）が設けられているとさらに好適である。
これにより、第１の開口部２２から第２の開口部２３に向かって気流の自然な流れが発生しない時でも、装置内を回流（循環）する気流の一部を測定室８内（または供試体２４が置かれた空間Ｓ３内）に強制的に戻すことができる。
【図面の簡単な説明】
【００４２】
【図１】本発明に係る回流型風洞装置の第１実施形態を示す模式図である。
【図２】図１に示す回流型風洞装置の要部を拡大した模式図である。
【図３】（ａ）は図２のａ−ａ矢視断面図、（ｂ）は図２のｂ−ｂ矢視断面図である。
【図４】本発明に係る回流型風洞装置の第２実施形態を示す図で、その要部を拡大した模式図である。
【図５】（ａ）は図４のｃ−ｃ矢視断面図、（ｂ）は図４のｄ−ｄ矢視断面図、（ｃ）は図４のｅ−ｅ矢視断面図である。
【図６】本発明に係る回流型風洞装置の第２実施形態を示す要部斜視断面図である。
【図７】本発明に係る回流型風洞装置の第３実施形態を示す図で、要部を拡大した模式図である。
【図８】本発明に係る回流型風洞装置の第４実施形態を示す図で、要部を拡大した模式図である。
【図９】本発明に係る回流型風洞装置の第５実施形態を示す図で、要部を拡大した模式図である。
【図１０】本発明に係る回流型風洞装置の他の実施形態を示す模式図である。
【符号の説明】
【００４３】
１    送風機
４    第１拡散胴
７    吹出し口
８    測定室
８ａ  側面
９    コレクターダクト
９ｂ  ダクト部
１０    回流型風洞装置
２０    ダクト
２３    第２の開口部（開口部）
３０    回流型風洞装置
３１    ダクト
３４    第２の開口部（開口部）
４０    回流型風洞装置
４２    多孔板
５０    回流型風洞装置
５１    スリット
６０    回流型風洞装置
６１    測定室
６２    ダクト
Ｓ１    下方空間
Ｓ２    上方空間
【図１】
2008076304.tif 000003
【図２】
2008076304.tif 000004
【図３】
2008076304.tif 000005
【図４】
2008076304.tif 000006
【図５】
2008076304.tif 000007
【図６】
2008076304.tif 000008
【図７】
2008076304.tif 000009
【図８】
2008076304.tif 000010
【図９】
2008076304.tif 000011
【図１０】
2008076304.tif 000012